(57)【要約】【課題】インバータ基板と被インバータ制御部品とを接続する配線の引き回しによるノイズを抑制する。【解決手段】室内ユニット２は、インバータ基板５０，５１と、インバータ圧縮機１０ａおよびファンモータ１５ａと、複数の配線６０〜６３とを備える。各インバータ圧縮機１０ａおよびファンモータ１５ａは、インバータ基板５０，５１のいずれかにより制御される。各配線６０〜６３は、インバータ基板５０，５１のそれぞれをそれぞれにより制御されるインバータ圧縮機１０ａおよびファンモータ１５ａのいずれかに接続する。そして、複数の配線６０〜６３は、正面板４０ａ側から見て互いに交差しないように配線されている。【選択図】図２
2008082665.tif 000002
【特許請求の範囲】
【請求項１】
複数のインバータ基板（５０，５１）と、
前記複数のインバータ基板（５０，５１）のいずれかにより制御される複数の被インバータ制御部品（１０ａ，１５ａ）と、
前記複数のインバータ基板（５０，５１）のそれぞれをそれぞれにより制御される前記複数の被インバータ制御部品（１０ａ，１５ａ）のいずれかに接続する複数の配線（６０〜６３）と、
を備え、
前記複数の配線（６０〜６３）は、前記複数のインバータ基板（５０，５１）に対向する第１方向から見て互いに交差しないように配線されている、
空気調和装置（２）。
【請求項２】
前記複数のインバータ基板（５０，５１）は、３以上のインバータ基板からなり、前記第１方向に直交する第２方向に並んで配置されている、
請求項１に記載の空調制御装置（２）。
【請求項３】
前記複数の被インバータ制御部品（１０ａ，１５ａ）は、３以上の被インバータ制御部品からなり、前記第１方向に直交する第２方向に並んで配置されている、
請求項１に記載の空気調和装置（２）。
【請求項４】
前記複数のインバータ基板（５０，５１）と前記複数の被インバータ制御部品（１０ａ，１５ａ）とは、前記複数の配線（６０〜６３）のそれぞれにより接続されるものどうしが前記第２方向に同じ順番で並ぶように配置されている、
請求項２に記載の空気調和装置（２）。
【請求項５】
前記複数の被インバータ制御部品（１０ａ，１５ａ）には、ファンロータ（１５ｂ）を駆動するファンモータ（１５ａ）が含まれ、
前記ファンロータ（１５ｂ）と前記ファンモータ（１５ａ）とは、前記第２方向に並んで配置され、
前記ファンロータ（１５ｂ）と前記ファンモータ（１５ａ）以外の前記複数の被インバータ制御部品（１０ａ，１５ｂ）に含まれる少なくとも１の被インバータ制御部品（１０ａ）とは、前記第２方向に同じ位置に配置される、
請求項２に記載の空気調和装置（２）。
【請求項６】
前記複数の被インバータ制御部品（１０ａ，１５ａ）には、複数の種類の部品が含まれる、
請求項１に記載の空気調和装置（２）。
【請求項７】
前記複数の被インバータ制御部品（１０ａ，１５ａ）には、インバータ圧縮機（１０ａ）と、ファンロータ（１５ｂ）を駆動するファンモータ（１５ａ）とが含まれる、
請求項６に記載の空気調和装置（２）。
【請求項８】
前記複数の配線（６０〜６３）は、前記第１方向に鉛直方向から見て直交する第２方向から見て互いに交差しないように配線されている、
請求項１に記載の空気調和装置（２）。
【発明の詳細な説明】
【技術分野】
【０００１】
本発明は、空気調和装置に関し、特に、電算機室で用いられる空気調和装置に関する。
【背景技術】
【０００２】
多くの場合、空気調和装置のケーシングの内部には、インバータ制御されるインバータ圧縮機やインバータファンなどの部品と、これらの被インバータ制御部品を制御するインバータ基板とが設けられている。そして、通常、こうしたインバータ基板や被インバータ制御部品からは、ノイズが発生する。こうしたノイズは、周辺機器に影響を与え得るため、従来より、その発生を抑制するための工夫が施されている（例えば、特許文献１）特に、誤作動の許されないサーバコンピュータなどの電算機が設置される電算機室で用いられる空気調和装置にあっては、電算機の動作に影響を与え得るノイズを低減することが重要である。
【特許文献１】特開２００４―３３２９８０号公報
【発明の開示】
【発明が解決しようとする課題】
【０００３】
ところで、こうしたインバータ制御に起因するノイズは、インバータ基板や被インバータ制御部品だけでなく、これらを接続する配線からも発生し得、周辺機器に影響を及ぼす可能性がある。特に、電算機室で用いられる空気調和装置のように大型のケーシングを有する空気調和装置では、配線が長距離引き回されたり、また、被インバータ制御部品を多数有していることが多いために配線の数が増したりすることにより、配線から発生するノイズの影響もより大きくなることが懸念される。
【０００４】
本発明の課題は、インバータ基板と被インバータ制御部品とを接続する配線の引き回しによるノイズを抑制することにある。
【課題を解決するための手段】
【０００５】
第１発明に係る空気調和装置は、複数のインバータ基板と、複数の被インバータ制御部品と、複数の配線とを備える。各被インバータ制御部品は、複数のインバータ基板のいずれかにより制御される。各配線は、複数のインバータ基板のそれぞれをそれぞれにより制御される複数の被インバータ制御部品のいずれかに接続する。そして、複数の配線は、第１方向から見て互いに交差しないように配線されている。第１方向は、複数のインバータ基板に対向する方向である。
【０００６】
この空気調和装置では、複数のインバータ基板と複数の被インバータ制御部品とを接続する複数の配線が、インバータ基板に対向する方向（第１方向）から見て互いに交差しないように配線されている。すなわち、この空気調和装置では、複数のインバータ基板と複数の被インバータ制御部品とが、複数のインバータ基板と複数の被インバータ制御部品とを接続する複数の配線の交差を回避することができるような態様で配置されている。これにより、この空気調和装置では、インバータ基板と被インバータ制御部品とを接続する配線の引き回しによるノイズを抑制することができる。
【０００７】
第２発明に係る空気調和装置は、第１発明に係る空気調和装置であって、複数のインバータ基板は、３以上のインバータ基板からなり、第２方向に並んで配置されている。第２方向は、第１方向に直交する方向である。なお、本明細書中において、２の対象物が所定の方向に並んで配置されている状態とは、２の対象物を所定の方向に延びる軸に投影した２の線分が互いに重ならないかまたは双方の一部のみが他方に重なっている状態、すなわち、一方が他方に完全に含まれる状態にない状態のことをいう。
【０００８】
この空気調和装置では、３以上のインバータ基板が、インバータ基板に対向する方向に直交する方向（第２方向）に並んで配置されている。このように、この空気調和装置では、３以上のインバータ基板を整然と配置することにより、３以上の配線の交差を回避することが容易になる。
【０００９】
第３発明に係る空気調和装置は、第１発明に係る空気調和装置であって、複数の被インバータ制御部品は、３以上の被インバータ制御部品からなり、第２方向に並んで配置されている。第２方向は、第１方向に直交する方向である。
【００１０】
この空気調和装置では、３以上の被インバータ制御部品が、インバータ基板に対向する方向に直交する方向（第２方向）に並んで配置されている。このように、この空気調和装置では、３以上の被インバータ制御部品を整然と配置することにより、３以上の配線の交差を回避することが容易になる。
【００１１】
第４発明に係る空気調和装置は、第２発明に係る空気調和装置であって、複数のインバータ基板と複数の被インバータ制御部品とは、複数の配線のそれぞれにより接続されるものどうしが第２方向に同じ順番で並ぶように配置されている。
【００１２】
この空気調和装置では、任意のインバータ基板の、複数のインバータ基板の並びの中における順番と、当該インバータ基板と対になる被インバータ制御部品の、複数の被インバータ制御部品の並びの中における順番とが等しくなっている。このように、この空気調和装置では、複数のインバータ基板および複数の被インバータ制御部品を整然と配置することにより、複数の配線の交差を回避することがより容易になる。
【００１３】
第５発明に係る空気調和装置は、第２発明に係る空気調和装置であって、複数の被インバータ制御部品には、ファンモータが含まれる。ファンモータは、ファンロータを駆動する。ファンロータとファンモータとは、第２方向に並んで配置される。ファンロータとファンモータ以外の複数の被インバータ制御部品に含まれる少なくとも１の被インバータ制御部品とは、第２方向に同じ位置に配置される。なお、本明細書中において２の対象物が所定の方向に同じ位置に配置されている状態とは、２の対象物を所定の方向に延びる軸に投影した２の線分が一致するかまたは一方が他方に完全に含まれる状態のことをいう。
【００１４】
この空気調和装置では、ファンモータとファンロータとが第２方向に並んで配置され、当該ファンモータ以外の被インバータ制御部品がファンロータと第２方向に同じ位置に配置されている。すなわち、例えば、ファンモータとファンロータとが第１方向から見て左右方向に並べられている場合には、ファンロータの第１方向から見て上方または下方に当該ファンモータ以外の被インバータ制御部品が配置されることになる。これにより、この空気調和装置では、ファンモータとそれ以外の被インバータ制御部品とを第２方向に幅をとることなく並べることができる。
【００１５】
第６発明に係る空気調和装置は、第１発明に係る空気調和装置であって、複数の被インバータ制御部品には、複数の種類の部品が含まれる。
【００１６】
この空気調和装置では、複数の種類の被インバータ制御部品が、インバータ基板に対向する方向に直交する方向（第２方向）に並んで配置されている。このように、この空気調和装置では、複数の種類の被インバータ制御部品を整然と配置することにより、複数の種類の被インバータ制御部品に接続される複数の配線の交差を回避することが容易になる。
【００１７】
第７発明に係る空気調和装置は、第６発明に係る空気調和装置であって、複数の被インバータ制御部品には、インバータ圧縮機と、ファンモータとが含まれる。ファンモータは、ファンロータを駆動する。
【００１８】
この空気調和装置では、インバータ制御されるインバータ圧縮機およびファンモータに接続される複数の配線が互いに交差しない。これにより、この空気調和装置では、インバータ圧縮機およびファンモータに接続される複数の配線の交差を回避することが容易になる。
【００１９】
第８発明に係る空気調和装置は、第１発明に係る空気調和装置であって、複数の配線は、第２方向から見て互いに交差しないように配線されている。第２方向は、第１方向に鉛直方向から見て直交する方向である。
【００２０】
この空気調和装置では、複数の配線が、第１方向に鉛直方向から見て直交する方向（第２方向）から見て互いに交差しないように配線されている。すなわち、例えば、複数のインバータ基板と複数の被インバータ制御部品とを接続する複数の配線が、ケーシングの正面視においても、側面視においても互いに交差しないように配線されることになる。これにより、この空気調和装置では、インバータ基板と被インバータ制御部品とを接続する配線の引き回しによるノイズをより抑制することができる。
【発明の効果】
【００２１】
第１発明に係る空気調和装置では、複数のインバータ基板と複数の被インバータ制御部品とが、複数のインバータ基板と複数の被インバータ制御部品とを接続する複数の配線の交差を回避することができるような態様で配置されている。これにより、この空気調和装置では、インバータ基板と被インバータ制御部品とを接続する配線の引き回しによるノイズを抑制することができる。
【００２２】
第２発明に係る空気調和装置では、３以上のインバータ基板を整然と配置することにより、３以上の配線の交差を回避することが容易になる。
【００２３】
第３発明に係る空気調和装置では、３以上の被インバータ制御部品を整然と配置することにより、３以上の配線の交差を回避することが容易になる。
【００２４】
第４発明に係る空気調和装置では、複数のインバータ基板および複数の被インバータ制御部品を整然と配置することにより、複数の配線の交差を回避することがより容易になる。
【００２５】
第５発明に係る空気調和装置では、ファンモータとそれ以外の被インバータ制御部品とを第２方向に幅をとることなく並べることができる。
【００２６】
第６発明に係る空気調和装置では、複数の種類の被インバータ制御部品を整然と配置することにより、複数の種類の被インバータ制御部品に接続される複数の配線の交差を回避することが容易になる。
【００２７】
第７発明に係る空気調和装置では、インバータ圧縮機およびファンモータに接続される複数の配線の交差を回避することが容易になる。
【００２８】
第８発明に係る空気調和装置では、インバータ基板と被インバータ制御部品とを接続する配線の引き回しによるノイズをより抑制することができる。
【発明を実施するための最良の形態】
【００２９】
以下、図面を参照して、本発明の一実施形態に係る室内ユニット２（空気調和装置）について説明する。
【００３０】
＜第１実施形態＞
〔空調システムの全体構成〕
本発明の第１実施形態に係る室内ユニット２を有する空調システム１は、電算機室内の空気を冷却するために用いられる冷房専用の空調システムである。
【００３１】
図１に示されるように、空調システム１は、室内ユニット２と、室内ユニット２に冷媒連絡配管３１，３４を介して連結される室外ユニット３とを有している。空調システム１は、２系統の冷媒回路を形成しており、これらの２系統の冷媒回路は、同様の構成を有している。室内ユニット２は、電算機室内に設置されており、室外ユニット３は、屋外に設置されている。空調システム１の冷媒回路内を循環するフルオロカーボンなどの冷媒は、室内ユニット２側においては電算機室内の空気との間で熱交換を行い吸熱し、室外ユニット３側においては外気との間で熱交換を行い放熱する。
【００３２】
室内ユニット２は、圧縮機１０と、蒸発器１１と、膨張弁１２と、室内側ファン１５とを有している。室内側ファン１５は、ファンモータ１５ａと、ファンモータ１５ａにより駆動されるファンロータ１５ｂとを有している。室外ユニット３は、レシーバ２０と、凝縮器２１と、ガス側閉鎖弁２２と、液側閉鎖弁２３と、室外側ファン２４とを有している。そして、圧縮機１０と、ガス側閉鎖弁２２と、凝縮器２１と、レシーバ２０と、液側閉鎖弁２３と、膨張弁１２と、蒸発器１１とが配管３０〜３５を介して連結されることにより、空調システム１の冷媒回路が形成されている。
【００３３】
ガス側閉鎖弁２２および液側閉鎖弁２３は、室外ユニット３側における空調システム１の冷媒回路の末端部に設けられている。ガス側閉鎖弁２２は、ガス冷媒連絡配管３１およびガス冷媒配管３２に連結され、液側閉鎖弁２３は、液冷媒連絡配管３４および液冷媒配管３３に連結されている。これらの閉鎖弁２２，２３は、室内ユニット２および室外ユニット３を現地に設置する前には閉状態とされており、各ユニット２，３を現地に設置し冷媒連絡配管３１，３４をそれぞれ閉鎖弁２２，２３に連結した後に開状態とされる。
【００３４】
以下に、空調システム１の２系統の冷媒回路のうち一方の冷媒回路を例に挙げて、冷媒が空調システム１の冷媒回路内を循環する様子について説明する。なお、図１中、矢印Ａは冷媒の流れる方向を示している。
【００３５】
室内ユニット２に電源が投入されると、室内ユニット２側の圧縮機１０は、ガス冷媒配管３０からガス冷媒を吸入して低圧状態から高圧状態に圧縮し、この高圧状態のガス冷媒を吐出してガス冷媒連絡配管３１を介して室外ユニット３側へと送り込む。一方、室外ユニット３側では、室内ユニット２側から送られてきた高圧状態のガス冷媒がガス冷媒配管３２を介して凝縮器２１へと導かれ、凝縮器２１において外気との間で熱交換を行って凝縮する。このとき、室外ユニット３のケーシング（図示せず）の内部には室外側ファン２４の駆動によって気流が形成されており、凝縮器２１における熱交換が促される状態になっている。凝縮器２１において凝縮した液冷媒は、液冷媒配管３３を介してレシーバ２０に供給される。レシーバ２０は、室内ユニット２の運転負荷に応じて発生する余剰冷媒を一時的に溜めるための容器である。続いて、レシーバ２０を出た高圧状態の液冷媒は、液冷媒連絡配管３４を介して室内ユニット２側の膨張弁１２に達し、膨張弁１２において低圧状態へと変化する。膨張弁１２において低圧状態とされた液冷媒は、液冷媒配管３５を介して蒸発器１１へと導かれ、蒸発器１１において電算機室内の空気との間で熱交換を行って蒸発する。このとき、室内ユニット２のケーシング４０（後述する）の内部には室内側ファン１５の駆動によって気流が形成されており、蒸発器１１における熱交換が促される状態になっている。こうして再び低圧のガス状態となった冷媒は、ガス冷媒配管３０を介して圧縮機１０の吸入管へと供給される。
【００３６】
〔室内ユニットの全体構成〕
図２は、室内ユニット２の正面図であり、図３は、室内ユニット２の右側面図である。なお、図２においては、ケーシング４０の正面板４０ａが取り外されており、図３においては、ケーシング４０の右側面板４０ｃが取り外されている。また、図２および図３においては、簡単のために、主要部品以外の部品が一部省略されている。
【００３７】
室内ユニット２のケーシング４０は、略直方体形状を有しており、主として、正面板４０ａと、左側面板４０ｂと、右側面板４０ｃと、背面板４０ｄと、天板４０ｅと、底板４０ｆとから構成されている。
【００３８】
正面板４０ａは、２枚の扉を有しており、これらの２枚の扉は、左右方向の略中央から正面板４０ａを左右方向に２分するように開く観音開きの扉となっている。これにより、作業者は、正面板４０ａを開くことにより、ケーシング４０の内部に配置されている各種部品のメンテナンス作業を行うことができるようになっている。
【００３９】
左側面板４０ｂは、正面板４０ａ側から見て正面板４０ａの左側に位置しており、右側面板４０ｃは、正面板４０ａ側から見て正面板４０ａの右側に位置している。天板４０ｅには、電算機室内の空気をケーシング４０の内部に吸い込むための多数のスリットが形成されている。底板４０ｆには、２台のファンロータ１５ｂ，１５ｂの下方に開口が形成されており、この開口は、ケーシング４０の内部の空間をフリーアクセスの床下の空間に連通させている。
【００４０】
ケーシング４０の内部の空間は、３段構成となっており、仮想的に上下方向に並ぶ３つの空間Ａ１〜Ａ３に分割される。各空間Ａ１〜Ａ３は、上下方向におおよそ同じ長さを有している。上段の空間Ａ１には、蒸発器１１、ドレンパン１７および電装品箱１６が配置されており、中段の空間Ａ２には、ファンモータ１５ａおよびファンロータ１５ｂが２台ずつおよび電装品箱４３が配置されており、下段の空間Ａ３には、インバータ圧縮機１０ａおよび定速圧縮機１０ｂが２台ずつ配置されている。なお、図１中の圧縮機１０は、インバータ圧縮機１０ａと定速圧縮機１０ｂとを組み合わせたものである。
【００４１】
〔主要部品の構成〕
（１）蒸発器
蒸発器１１は、クロスフィンチューブ式の熱交換器であり、室内ユニット２を側面板４０ｂ，４０ｃ側から見て略Ｖ字形状を有している。蒸発器１１のＶ字の頂点は、下方を向いている。蒸発器１１は、正面板４０ａ側から見て電装品箱１６の奥側に配置されており、左右方向におおよそ正面板４０ａと同じ幅を有している。また、蒸発器１１は、右側面板４０ｃ側から見て中央付近に配置されている。
【００４２】
（２）ドレンパン
ドレンパン１７は、板金製の皿形状の導水路であり、蒸発器１１の表面において結露したドレン水を回収し、ケーシング４０の外部に連通するドレン管４１へと案内する役割を果たす。ドレンパン１７は、蒸発器１１のＶ字の頂点部分に沿ってその真下に配置されており、正面板４０ａ側から見て左右方向におおよそ正面板４０ａと同じ幅を有している（すなわち、正面板４０ａ側から見て左右方向におおよそ蒸発器１１と同じ幅を有している）。これにより、ドレンパン１７は、蒸発器１１の表面から落下するドレン水を受け取ることができるようになっている。
【００４３】
（３）ファンモータおよびファンロータ
ファンモータ１５ａおよびファンロータ１５ｂは、２台ずつ正面板４０ａ側から見て左右方向に交互に並べられており、最左にファンロータ１５ｂが配置されている。２台のファンロータ１５ｂ，１５ｂは、いずれもシロッコファンである。ファンモータ１５ａ，１５ａは、右側面板４０ｃ側から見て中央付近に配置されており、ファンロータ１５ｂ，１５ｂは、右側面板４０ｃ側から見て背面板４０ｄよりに配置されている。中段の空間Ａ２は、仕切板４２により正面板４０ａ側から見て手前側の空間と奥側の空間とに仮想的に分割されている。ファンモータ１５ａ，１５ａおよびファンロータ１５ｂ，１５ｂは、奥側の空間に配置されており、電装品箱４３は、手前側の空間に配置されている。なお、図２においては、仕切板４２および電装品箱４３は省略されている。
【００４４】
室内側ファン１５，１５が駆動されると、ケーシング４０の内部には気流が形成され、天板４０ｅに形成されているスリットから吸い込まれた空気が底板４０ｆに形成されている開口を介して吹き出されるようになる。より詳細には、天板４０ｅに形成されているスリットから吸い込まれた空気は、クロスフィンチューブ式の蒸発器１１を通り抜けながら冷媒との間で熱交換を行い冷却される。冷却された空気は、ファンロータ１５ｂ，１５ｂに吸い込まれるようにして中断の空間Ａ３のうち主に奥側の空間に流れ込む。ファンロータ１５ｂ，１５ｂから真下に向けて吹き出された空気は、ケーシング４０の底板４０ｆに形成されている開口を介してフリーアクセスの床下の空間に流れ込むことになる。仕切板４２は、手前側の空間に蒸発器１１において冷却された空気が流れ込むことを抑制しており、電装品箱４３が過度に冷却され電装品箱４３において結露などの現象が発生しないようにしている。
【００４５】
図４は、ファンモータ１５ａとファンロータ１５ｂとの接続構造を示す図である。ファンモータ１５ａの正面板４０ａ側から見て左側から水平方向に突出している軸部材１８ａは、ファンロータ１５ｂの羽根の軸受け部１８ｂまで延びており、この軸受け部１８ｂに挿入されている。そして、この軸部材１８ａと軸受け部１８ｂとの接続により、ファンモータ１５ａの回転がファンロータ１５ｂの羽根へと伝えられることになる。
【００４６】
（４）圧縮機
インバータ圧縮機１０ａ，１０ａは、圧縮機用インバータ基板５０，５０により回転数制御が為される容量可変の圧縮機であり、定速圧縮機１０ｂ，１０ｂは、オンオフ制御が為される定容量の圧縮機である。インバータ圧縮機１０ａおよび定速圧縮機１０ｂは、２台ずつ正面板４０ａ側から見て左右方向に交互に並べられており、最左にインバータ圧縮機１０ａが配置されている。４台の圧縮機１０ａ，１０ａ，１０ｂ，１０ｂは、右側面板４０ｃ側から見て正面板４０ａよりに配置されている。すなわち、４台の圧縮機１０ａ，１０ａ，１０ｂ，１０ｂは、ファンモータ１５ａ，１５ａおよびファンロータ１５ｂ，１５ｂの真下を避けた位置に存在している。これにより、ファンロータ１５ｂ，１５ｂから真下に向けて吹き出された空気は、圧縮機１０ａ，１０ａ，１０ｂ，１０ｂにより進路を妨害されることなく、ケーシング４０の底板４０ｆに形成されている開口を介してフリーアクセスの床下の空間に流れ込むことが可能になる。
【００４７】
また、インバータ圧縮機１０ａ，１０ａは、正面板４０ａ側から見てファンロータ１５ｂ，１５ｂの真下に配置されている。すなわち、正面板４０ａ側から見て左右方向に延びる軸に２台のインバータ圧縮機１０ａを投影した２本の線分は、２台のファンロータ１５ｂを投影した２本の線分に完全に含まれるようになっている。したがって、正面板４０ａ側から見て左右方向に延びる軸に２台のファンモータ１５ａ，１５ａを投影した２本の線分と、２台のインバータ圧縮機１０ａ，１０ａを投影した２本の線分との合計４本の線分は、互いに重ならないようになっている。
【００４８】
（５）電装品箱
電装品箱１６は、板金製の略直方体形状の箱であり、その内部には、室内ユニット２の運転を制御する制御Ｐ板や、２台のインバータ圧縮機１０ａ，１０ａを制御する２つの圧縮機用インバータ基板５０，５０、２台のファンモータ１５ａ，１５ａを制御する２つのファン用インバータ基板５１，５１、端子台などの様々な電装品が収容されている。圧縮機用インバータ基板５０，５０およびファン用インバータ基板５１，５１のそれぞれは、正面板４０ａに対向している。電装品箱１６は、正面板４０ａに近接する位置に配置されており、正面板４０ａ側から見て左右方向におおよそ正面板４０ａと同じ幅を有している（すなわち、正面板４０ａ側から見て左右方向におおよそ蒸発器１１およびドレンパン１７と同じ幅を有している）。
【００４９】
図２においては、電装品箱１６の蓋が電装品箱１６の本体部から取り外された状態が示されているが、メンテナンス時などの特別な場合を除き、通常、電装品箱１６の本体部には、正面板４０ａに対向する板状の蓋が取り付けられている。電装品箱１６の内部には、圧縮機用インバータ基板５０およびファン用インバータ基板５１が２つずつ正面板４０ａ側から見て左右方向に交互に並べられており、最左に圧縮機用インバータ基板５０が配置されている。そして、２台の圧縮機用インバータ基板５０，５０のうち左側の圧縮機用インバータ基板５０が、２台のファン用インバータ基板５１，５１のうち左側のファン用インバータ基板５１の左方の下よりに配置されており、２台の圧縮機用インバータ基板５０，５０のうち右側の圧縮機用インバータ基板５０が、２台のファン用インバータ基板５１，５１のうち右側のファン用インバータ基板５１の左方の下よりに配置されている。すなわち、正面板４０ａ側から見て左右方向に延びる軸に２つの圧縮機用インバータ基板５０，５０を投影した２本の線分と、２つのファン用インバータ基板５１，５１を投影した２本の線分との合計４本の線分は、互いに重ならないようになっている。
【００５０】
〔配線の状況〕
正面板４０ａ側から見て２台のインバータ圧縮機１０ａ，１０ａのうち左側の圧縮機１０ａは、配線６０を介して２つの圧縮機用インバータ基板５０，５０のうち左側のインバータ基板５０に接続されており、正面板４０ａ側から見て２台のインバータ圧縮機１０ａ，１０ａのうち右側の圧縮機１０ａは、配線６２を介して２つの圧縮機用インバータ基板５０，５０のうち右側のインバータ基板５０に接続されている。正面板４０ａ側から見て２台のファンモータ１５ａ，１５ａのうち左側のファンモータ１５ａは、配線６１を介して２つのファン用インバータ基板５１，５１のうち左側のインバータ基板５１に接続されており、正面板４０ａ側から見て２台のファンモータ１５ａ，１５ａのうち右側のファンモータ１５ａは、配線６３を介して２つのファン用インバータ基板５１，５１のうち右側のインバータ基板５１に接続されている。
【００５１】
このとき、正面板４０ａ側から見ると、左側のインバータ圧縮機１０ａ、左側のファンモータ１５ａ、右側のインバータ圧縮機１０ａおよび右側のファンモータ１５ａと、左側の圧縮機用インバータ基板５０、左側のファン用インバータ基板５１、右側の圧縮機用インバータ基板５０および右側のファン用インバータ基板５１とは、配線６０〜６３のそれぞれにより接続されるものどうしが左右方向に同じ順番で並ぶように配置されている。したがって、配線６０〜６３は、正面板４０ａ側から見て互いに交差することのない態様で、インバータ圧縮機１０ａ，１０ａと圧縮機用インバータ基板５０，５０とを接続し、ファンモータ１５ａ，１５ａとファン用インバータ基板５１，５１とを接続している。
【００５２】
また、このとき、右側面板４０ｃ側から見ると、インバータ圧縮機１０ａ，１０ａと圧縮機用インバータ基板５０，５０とを接続する配線６０，６２は、上段の空間Ａ１内に配置されている圧縮機用インバータ基板５０，５０から出て、中段の空間Ａ２のうち仕切板４２の左側の空間（すなわち、正面板４０ａ側から見て手前側の空間）を経て、下段の空間Ａ３内に配置されているインバータ圧縮機１０ａ，１０ａに達する。一方、右側面板４０ｃ側から見ると、ファンモータ１５ａ，１５ａとファン用インバータ基板５１，５１とを接続する配線６１，６３は、上段の空間Ａ１内に配置されているファン用インバータ基板５１，５１から出て、中段の空間Ａ２のうち仕切板４２の右側の空間（すなわち、正面板４０ａ側から見て奥側の空間）に配置されているファンモータ１５ａ，１５ａに達する。したがって、配線６０〜６３は、右側面板４０ｃ側から見て互いに交差することのない態様で、インバータ圧縮機１０ａ，１０ａと圧縮機用インバータ基板５０，５０とを接続し、ファンモータ１５ａ，１５ａとファン用インバータ基板５１，５１とを接続している。
【００５３】
＜特徴＞
上記実施形態に係る室内ユニット２では、インバータ基板５０，５０とインバータ圧縮機１０ａ，１０ａとを接続する配線６０，６２と、インバータ基板５１，５１とファンモータ１５ａ，１５ａとを接続する配線６１，６３とが、正面板４０ａ側から見て互いに交差しないように配線されている。また、これらの配線６０〜６３は、側面板４０ｂ，４０ｃ側から見ても互いに交差しないように配線されている。これにより、室内ユニット２では、配線６０〜６３の引き回しによるノイズを抑制することができるようになっている。
【００５４】
＜変形例＞
以上、本発明の一実施形態について説明したが、本発明は上記実施形態に限定されるものではなく、発明の要旨を逸脱しない範囲で種々の変更が可能である。
【００５５】
（Ａ）
本発明は、室内ユニットの構造ではなく室外ユニットの構造にも適用することができる。
【００５６】
（Ｂ）
本発明は、電算機室用でない空気調和装置にも適用することができる。
【００５７】
（Ｃ）
本発明は、インバータファンやインバータ圧縮機だけでなく、インバータ制御される任意の種類の部品に適用することが可能である。また、インバータ制御される部品の数は、上記実施形態のように４つに限られず、４つより多くても少なくてもよい。
【００５８】
（Ｄ）
上記実施形態においては、正面板４０ａ側から見て左右方向に延びる軸に２台のファンモータ１５ａ，１５ａを投影した２本の線分と、２台のインバータ圧縮機１０ａ，１０ａを投影した２本の線分との合計４本の線分が、互いに重ならないようになっている。しかしながら、これらの４本の線分のうちいくつかの線分の一部と一部とが互いに重なるようになっていてもよい。
【００５９】
すなわち、図５に示すように、正面板４０ａ側から見て配線６０〜６３が交差しない限り、左側のインバータ圧縮機１０ａと左側の定速圧縮機１０ｂとが逆に配置されており、左右方向に延びる軸に左側のインバータ圧縮機１０ａを投影した線分の一部と、左側のファンモータ１５ａを投影した線分の一部とが互いに重なるようになっていてもよい。また、これらの２本の線分のうち一方が、他方に完全に含まれるようになっていてもよい。
【００６０】
さらに、図５に示すように、正面板４０ａ側から見て配線６０〜６３が交差しない限り、右側のインバータ圧縮機１０ａと右側の定速圧縮機１０ｂとが逆に配置されていてもよい。なお、図５においては、図２と同様に、ケーシング４０の正面板４０ａが取り外され、主要部品以外の部品が一部省略されている。
【００６１】
（Ｅ）
上記実施形態においては、正面板４０ａ側から見て左右方向に延びる軸に２つの圧縮機用インバータ基板５０，５０を投影した２本の線分と、２つのファン用インバータ基板５１，５１を投影した２本の線分との合計４本の線分が、互いに重ならないようになっている。すなわち、圧縮機用インバータ基板５０，５０およびファン用インバータ基板５１，５１は、正面板４０ａ側から見て左右方向におおよそ一直線に並べられている。しかしながら、これらの４本の線分のうちいくつかの線分の一部と一部とが互いに重なるようになっていてもよい。
【００６２】
すなわち、図６に示すように、正面板４０ａ側から見て配線６０〜６３が交差しない限り、正面板４０ａ側から見て左側のファン用インバータ基板５１の下方の左よりに左側の圧縮機用インバータ基板５０が配置されており、右側のファン用インバータ基板５１の下方の左よりに右側の圧縮機用インバータ基板５０が配置されていてもよい。なお、図６においては、図２と同様に、ケーシング４０の正面板４０ａが取り外され、主要部品以外の部品が一部省略されている。
【００６３】
（Ｆ）
上記実施形態においては、ファンモータ１５ａの軸部材１８ａとファンロータ１５ｂの軸受け部１８ｂとが直接接続されている。このような接続構造とするためには、ファンモータ１５ａとファンロータ１５ｂとの距離に見合った長さの軸部材１８ａを有するファンモータ１５ａを特別に用意する必要があり、生産コストが増大し得る。
【００６４】
そこで、上記実施形態において、ファンモータ１５ａとファンロータ１５ｂとの接続構造を図７に示すような構造に変形してもよい。
【００６５】
すなわち、図７の変形例では、ファンモータ１５ａが汎用品であり、ファンモータ１５ａの正面板４０ａ側から見て左側から水平方向に突出している軸部材７０ａは、ファンロータ１５ｂの羽根の軸受け部１８ｂに達しない程度の長さとなっている。そして、図８にその単体の様子を示す接続アダプタ７５を介して、軸部材７０ａと軸受け部１８ｂとが間接的に接続されるようになっている。
【００６６】
接続アダプタ７５は、第１部分７６と第２部分７７とを有している。第１部分７６および第２部分は、ともに略円柱形状を有しており、底面と底面とが同心円となるように一体的に形成されている。そして、第１部分７６の底面積は、第２部分の底面積より大きくなっている。第１部分７６には、ファンモータ１５ａの軸部材７０ａが挿入可能な孔７６ａが形成されている。一方、第２部分７７は、ファンロータ１５ｂの軸受け部１８ｂに挿入され得るような底面積を有している。
【００６７】
そして、このような接続アダプタ７５を用いることにより、ファンモータ１５ａを汎用品とすることが可能となり、室内ユニット２の生産コストを削減することができる。
【００６８】
（Ｇ）
上記実施形態においては、圧縮機用インバータ基板５０，５０およびファン用インバータ基板５１，５１が正面板４０ａ側から見て左右方向に並ぶように配置されており、インバータ圧縮機１０ａ，１０ａおよびファンモータ１５ａ，１５ａも正面板４０ａ側から見て左右方向に並ぶように配置されている。しかしながら、圧縮機用インバータ基板５０，５０およびファン用インバータ基板５１，５１が正面板４０ａ側から見て左右方向以外の任意の方向に並ぶように配置され、インバータ圧縮機１０ａ，１０ａおよびファンモータ１５ａ，１５ａも正面板４０ａ側から見て左右方向以外の任意の方向に並ぶように配置されてもよい。
【産業上の利用可能性】
【００６９】
本発明は、インバータ基板と被インバータ制御部品とを接続する配線の引き回しによるノイズを抑制することができるという効果を有し、空気調和装置、特に、電算機室で用いられる空気調和装置として有用である。
【図面の簡単な説明】
【００７０】
【図１】本発明の第１実施形態に係る空調システムの冷媒回路図。
【図２】本発明の第１実施形態に係る室内ユニットの正面図。
【図３】本発明の第１実施形態に係る室内ユニットの右側面図。
【図４】ファンモータとファンロータとの接続構造を示す図。
【図５】本発明の第１実施形態の変形例（Ｄ）に係る室内ユニットの正面図。
【図６】本発明の第１実施形態の変形例（Ｅ）に係る室内ユニットの正面図。
【図７】本発明の第１実施形態の変形例（Ｆ）に係るファンモータとファンロータとの接続構造を示す図。
【図８】本発明の第１実施形態の変形例（Ｆ）に係る接続アダプタの図。
【符号の説明】
【００７１】
２  室内ユニット（空気調和装置）
１０ａ  インバータ圧縮機
１０ｂ  定速圧縮機
１１  蒸発器
１５ａ  ファンモータ
１５ｂ  ファンロータ
１６  電装品箱
１７  ドレンパン
４０  ケーシング
５０  圧縮機用インバータ基板
５１  ファン用インバータ基板
６０〜６３  配線
【図１】
2008082665.tif 000003
【図２】
2008082665.tif 000004
【図３】
2008082665.tif 000005
【図４】
2008082665.tif 000006
【図５】
2008082665.tif 000007
【図６】
2008082665.tif 000008
【図７】
2008082665.tif 000009
【図８】
2008082665.tif 000010